(57)【要約】【課題】  端子構造が簡単で、しかも確実に端子を清掃できて、良好な接触を確保できるようにする。【解決手段】  電子装置１１は、電極端子１５を具えた電池パック１４を収容する電池パック収容部１２を有し、この電池パック収容部１２に前記電極端子１５と電気的に接続するための弾性を有する接続端子１３を具えている。電池パック収容部１２には、前記電池パック１４を当該電子装置１１に装着する時に前記電極端子１５と前記接続端子１３とが接触した状態で当該電池パック１４を所定角度だけ回転させる支点となる突起１９が、当該電子装置１１の前記電池パック収容部１２の接続端子１３から所定距離だけ離した位置に設けられている。【選択図】  図１
2006086072.tif 000002
【特許請求の範囲】
【請求項１】
電極端子を具えた電池パックを収容する電池パック収容部を有し、この電池パック収容部に前記電極端子と電気的に接続するための弾性を有する接続端子を具えた電子装置であって、
前記電池パックを当該電子装置に装着する時に前記電極端子と前記接続端子とが接触した状態で当該電池パックを所定角度だけ回転させる支点となる突起を、当該電子装置の前記電池パック収容部の接続端子から所定距離だけ離した位置に設けたことを特徴とする電子装置。
【請求項２】
請求項１記載の電子装置において、
前記電池パックの前記電極端子は、当該電池パックの挿入前方の面に形成され、
前記突起は、前記電池パック収容部に、前記電池パックの底面又は側面と向き合う位置に設けられていることを特徴とする電子装置。
【請求項３】
請求項１又は２に記載の電子装置において、
当該電子装置の電池パック収容部には、前記電池パックの装着時に前記接続端子に過大な荷重が加わることを防止するために、該電池パックの位置を制限するストッパを具えたことを特徴とする電子装置。
【請求項４】
請求項１ないし３のいずれかに記載の電子装置において、
前記突起は、前記電池パック装着時の前記電池パックの回転を円滑にするために曲面に形成されていることを特徴とする電子装置。
【発明の詳細な説明】
【技術分野】
【０００１】
本発明は、電池パックを着脱可能に装着するようにした電子装置に関する。
【背景技術】
【０００２】
従来、例えば携帯電話やデジタルカメラ、あるいはＰＤＡ、携帯用音楽プレーヤーなどの電子装置としては、電極端子を具えた電池パックを収容する電池パック収容部を有し、この電池パック収容部に前記電極端子と電気的に接続するための弾性を有する接続端子を具えた構成のものがある。図１９にはその従来構成を示している。
この図１９において、電子装置１には電池パック収容部２が形成され、この収容部２の図示左側の面には接続端子３が常時矢印Ａ方向へ移動付勢されることより弾性を有する構成となっている。一方、電池パック４の図示左側面には電極端子５が具えられている。なお、該電池パック収容部２は蓋６によって閉塞されるようになっている。また、電池パック収容部２には電池パック４取出し用の帯７が設けられている。
【０００３】
この電子装置１において、電池パック４の電極端子５を接続端子３に接続する場合には、図２０に示すように、電池パック４を、その電極端子５が接続端子３に接触するようにしながら、電池パック収容部２に挿入配置する。この場合、電極端子５に対する接続端子３との接触個所は挿入開始から挿入配置終了まで殆ど変化しない。
このため、接触導通部分の酸化皮膜の除去などの異物除去が図られない欠点があった。
【０００４】
電子装置たる携帯端末の充電器において、接続端子及び電極端子の端子清掃を図るものとして特許文献１に記載されたものがある。
このものにおいては、携帯端末の充電器本体の充電端子に、電池パック背面の電極端子と電気的に接続される接続凸部を形成すると共に、にクリーニング突起を形成し、電極端子が接続端子に接触する前に、クリーニング端子がこの電極端子に接触することで、電池パックの電極面を清掃する構成となっている。
【特許文献１】特開平１１−１８５８２７号公報
【発明の開示】
【発明が解決しようとする課題】
【０００５】
しかし、上述の特許文献１に記載のものでは、充電端子に本来接続用の接続凸部とクリーニング突起とを形成しており、端子構造が複雑で、しかも電池パックの背面に電極端子が設けられている場合に限って清掃可能である。すなわち、電池パックの底面（先端面）に電極端子が有る場合には、上記のような清掃は行なわれない。このため、付着した汚れなどが電極端子の接触部から除去されず、接触不良が生じる可能性がある。
【０００６】
本発明は、上述の事情に鑑みてされたものであり、端子構造が簡単で、しかも確実に端子を清掃できて、良好な接触を確保できる電子装置を提供するにある。
【課題を解決するための手段】
【０００７】
請求項１の発明によれば、電極端子を具えた電池パックを収容する電池パック収容部を有し、この電池パック収容部に前記電極端子と電気的に接続するための弾性を有する接続端子を具えた電子装置であって、前記電池パックを当該電子装置に装着する時に前記電極端子と前記接続端子とが接触した状態で当該電池パックを所定角度だけ回転させる支点となる突起を、当該電子装置の前記電池パック収容部の接続端子から所定距離だけ離した位置に設けたことを特徴とするものであり、これにより、電池パックを電池パック収容部に対して装着あるいは離脱させるときに、前記突起を支点とした電池パックの所定角度だけの回転により、電子装置側の接続端子及び電池パック側の電極端子の双方の接触個所が相対的に摺動することとなって両端子の接触面の清掃が、良好に行なわれる。また、端子構造としてはクリーニング突起は必要としないので、端子構造も簡単となる。
【０００８】
この場合、前記電池パックの前記電極端子を、当該電池パックの挿入前方の面に形成し、前記突起を、前記電池パック収容部に、前記電池パックの底面又は側面と向き合う位置に設ける構成としても良い（請求項２の発明）。このようにすると、突起が電池パック収容部側にあるので、電池パックとしては突起のない単純形状とすることができる。
また、当該電子装置の電池パック収容部に、前記電池パックの装着時に前記接続端子に過大な荷重が加わることを防止するために、該電池パックの位置を制限するストッパを具える構成としても良い（請求項３の発明）。このようにすると、電池パックの装着時に接続端子に過大な荷重が作用することがなくて、その弾性劣化や変形を防止することができる。
【０００９】
さらに、前記突起を、前記電池パック装着時の前記電池パックの回転を円滑にするために曲面に形成するようにしても良い（請求項４の発明）。このようにすると、電池パックが突起に対してわずかに滑りながら回転するようになり、電池パックの電極端子が接続端子に対して円滑に摺動するようになり、両端子に対する清掃効果が向上する。
【発明を実施するための最良の形態】
【００１０】
以下、本発明の第１の実施例について図１ないし図３を参照しながら説明する。電子装置１１は、携帯電話やデジタルカメラ、あるいはＰＤＡ、携帯用音楽プレーヤーなどの電子装置であり、この電子装置１１には電池パック収容部１２が形成され、この収容部１２の図示左側の面にはピン状の接続端子１３が常時矢印Ａ方向へ移動付勢されることより弾性を有する構成となっている。一方、電池パック１４の図示左側面には幅広な導通板からなる電極端子１５が具えられている。なお、該電池パック収容部１２は蓋１６によって閉塞されるようになっている。また、電池パック収容部１２には電池パック１４取出し用の帯１７が設けられている。
【００１１】
この場合電池パック１４は図２に矢印Ｂ方向に挿入されるものであり、従って、前記電池パック１４の前記電極端子１５は、当該電池パック１４挿入前方の面に形成されている。
前記電池パック収容部１２には、一段高い段部１８が形成されており、この段部１８の角部分が突起１９を構成している。この突起１９は、電池パック収容部１２の接続端子１３から所定距離だけ離した位置に設けられており、前記電池パック１４の底面と向き合う位置に設けられている。そして、この突起１９は前記電池パック１４装着時の前記電池パック１４の回転を円滑にするために曲面（円弧面）に形成されている。
【００１２】
また前記電池パック収容部１２には、前記電池パック１４の装着時に前記接続端子１３に過大な荷重が加わることを防止するために、該電池パック１４の位置を制限するストッパ２０が形成されている。
さて、前記電池パック１４を電池パック収容部１２内に装着する場合、図２に示すように、電池パック１４をその電極端子１５を接続端子１３に近づけるように斜めに挿入し、この状態から、電池パック１４の底面が突起１９に当たるようにしてさらに矢印Ｂ方向へ挿入すると、図３に示すように、電極端子１５の上部が接続端子１３に接触すると共に、電池パック１４の底面が突起１９に当たるが、電池パック１４の後部（図示右部）を下方へ押しながら矢印Ｂ方向へ挿入すると、それ以上の挿入がストッパ２０によって制限されると共に、この突起１９を支点として電池パック１４が所定角度αだけ矢印Ｃで示すように回転する。この所定角度αは、電極端子１５と前記接続端子１３とが十分な摺動距離を確保できる角度となっており、この所定角度αは、接続端子１３からの突起１９の離間距離や突起１９の高さなどに依存するが、電極端子１５に必要な摺動距離も考慮に入れて設定されるものである。
【００１３】
この場合、突起１９が曲面に形成されているから、電池パック１４はこの突起１９に対してわずかに滑りながら回転する。この結果、電極端子１５が接続端子１３に対して上方向へ円滑に摺動する。そして、電池パック１４は段部１８に載置された配置形態となり、適正な配置姿勢（両端子１３、１５が相対して接触する姿勢）となる。
このように本実施例によれば、電池パック１４の挿入配置時において突起１９を支点として該電池パック１４が所定角度αだけ回転し、電極端子１５が接続端子１３に対して上方向へ摺動するようになるため、両端子１３、１５の接触面の清掃が、良好に行なわれる。また、端子構造としては従来のクリーニング突起は必要としないので、端子構造も簡単となる。なお、電池パック１４を電池パック収容部１２に対して離脱させるときにおいては、動作が逆となるだけであって、両端子１３、１５の接触面の清掃が、良好に行なわれる。
【００１４】
また、本実施例によれば、前記電池パック１４の前記電極端子１５を、当該電池パック１４の挿入前方の面に形成し、前記突起１９を、前記電池パック収容部１２に、前記電池パック１４の底面と向き合う位置に設ける構成としたから、電池パック１４としては突起のない単純形状とすることができる。
また、電池パック収容部１２に、前記電池パック１４の装着時に前記接続端子１３に過大な荷重が加わることを防止するために、該電池パック１４の位置を制限するストッパ２０を形成したから、電池パック１４の装着時に接続端子１３に過大な荷重が作用することがなくて、その弾性劣化や変形を防止することができる。
【００１５】
さらに本実施例によれば、前記突起１９を、曲面に形成したから、電池パック１４が突起１９に対してわずかに滑りながら回転するようになり、電池パック１４の電極端子１５が接続端子１３に対して円滑に摺動するようになり、両端子１３、１５に対する清掃効果が向上する。
図４ないし図６は本発明の第２の実施例を示しており、この実施例においては、次の点が第１の実施例と異なる。すなわち、電池パック収容部１２における接続端子１３上方に、庇状の張出部２１を形成し、蓋２２もこの張出部２１を考慮した形状に形成している。
【００１６】
これによれば、電池パック１４挿入時において、該電池パック１４の電極端子１５部分を上下から規制できて、突起１９による支点作用を確実に得ることができて、両端子１３、１５の清掃を簡単且つ確実に行なうことができる。
図７及び図８は本発明の第３の実施例を示しており、この実施例においては、突起３１を電池パック１４側に設けた点が第１の実施例と異なる。この突起３１は電池パック１４の底部に、接続端子１３から所定距離離した位置に、曲面例えば半円弧状に形成されている。なお、電池パック１４の後部（図示右側）の底部には、該電池パック１４の配置姿勢を傾かないようにするための脚部３２が形成されている。この第３の実施例においては、電池パック１４に設けた突起３１が、該電池パック１４の挿入配置時に、該電池パック１４を回転させる支点として作用する。従って、この第３の実施例においても、第１の実施例と同様の効果を得ることができる。
【００１７】
図９及び図１０は本発明の第４の実施例を示しており、この実施例においては、電池パック１４に段部４１及び突起４２を形成した点が第１の実施例と異なるが、この第１の実施例と同様の効果を得ることができる。
図１１ないし図１３は本発明の第５の実施例を示しており、この実施例においては、次の点が第１の実施例と異なる。すなわち、電池パック１４の両側面１４ａ、１４ｂの前側（図示左側）に円柱状（曲面状）の突起５１、５１を設け、後ろ側に姿勢保持用の凸部５２、５２を設け、電池パック収容部１２の両側面１２ａ、１２ｂに、前記突起５１及び凸部５２が挿入される支持凹部５３、５３を形成している。この支持凹部５３、５３の前側（図示左側）の隅部５３ａに連なる端面５３ｂは後方へ斜め傾斜していて、電池パック１４を電池パック収容部１２に挿入するときに斜め後方からしか挿入できないようにしており（図１３参照）、電極端子１５が接続端子１３に確実に接触するようになっている。
【００１８】
図１３は、電池パック１４を電池パック収容部１２に挿入途中の状態を示しており、この状態で、突起５１が支持凹部５３の隅部５３ａに接触しており、この状態から電池パック１４を押し下げると、電池パック１４が所定角度だけ矢印Ｃ方向に回転する。この結果、第１の実施例と同様の効果を得ることができる。なお、支持凹部５３は突起５１が矢印Ｂ方向へ移動するのを制限するから、ストッパとしても作用するものであり、電池パック収容部１２にはストッパを設けなくて済む。
【００１９】
図１４ないし図１６は本発明の第６の実施例を示しており、この実施例においては、次の点が第１の実施例と異なる。突起６１と姿勢保持用の凸部６２とを、電池パック収容部１２の両側面に電池パック１４の両側面に向き合う位置に形成し、電池パック１４の両側面に、突起６１と嵌り合う凹部６３と、凸部６２と嵌り合う凹部６４とを形成している。
前記突起６１の上端部は、曲面状例えば半円弧状に形成されている。またこの突起６１と嵌り合う凹部６３は前側の面６３ａが傾斜することで拡開する形態に形成されている。
【００２０】
図１６は、電池パック１４を電池パック収容部１２に挿入途中の状態を示しており、この状態で、突起６１が凹部６３に嵌り合っており、この状態から電池パック１４を押し下げると、電池パック１４が所定角度だけ矢印Ｃ方向に回転する。この結果、第１の実施例と同様の効果を得ることができる。なお、凹部６３は突起６１が矢印Ｂ方向へ移動するのを制限するから、ストッパとしても作用するものであり、電池パック収容部１２にはストッパを設けなくて済む。
【００２１】
図１７は本発明の第７の実施例を示すものであり、この実施例においては、次の点が第１の実施例と異なる。すなわち、突起７１は電池パック収容部１２の底部に半円弧状に形成されており、そして、電池パック収容部１２の後部には姿勢保持用の段部７２が形成されている。さらに、接続端子１３上方には張出部７３が形成されている。
この第７の実施例においても、第１の実施例と同様の効果を得ることができる。
【００２２】
なお、突起は、本発明の第８の実施例と示す図１８の突起８１のように、上端が平坦であっても、初期の目的は達成できるものである。
また、電子装置としては、携帯電話やデジタルカメラ、あるいはＰＤＡ、携帯用音楽プレーヤーに限られるものではなく、充電器であっても良い。
【図面の簡単な説明】
【００２３】
【図１】本発明の第１の実施例を示す電子装置の縦断面図
【図２】電池パックの挿入配置途中の状態を示す縦断面図
【図３】電池パックをさらに挿入した状態を示す縦断面図
【図４】本発明の第２の実施例を示す図１相当図
【図５】図２相当図
【図６】図３相当図
【図７】本発明の第３の実施例を示す図１相当図
【図８】図３相当図
【図９】本発明の第４の実施例を示す図１相当図
【図１０】図３相当図
【図１１】本発明の第５の実施例を示す挿入配置前の状態での電子装置及び電池パックの斜視図
【図１２】図１相当図
【図１３】図３相当図
【図１４】本発明の第６の実施例を示す図１１相当図
【図１５】図１相当図
【図１６】図３相当図
【図１７】本発明の第７の実施例を示す図１相当図
【図１８】本発明の第８の実施例を示す図１相当図
【図１９】従来例を示す図１相当図
【図２０】図３相当図
【符号の説明】
【００２４】
図面中、１１は電子装置、１２は電池パック収容部、１３は接続端子、１４は電池パック、１５は電極端子、１８は段部、１９は突起、２０はストッパ、２１は張出部、３１、４２、５１は突起、５３は支持凹部、６１は突起、６３は凹部、７１、８１は突起を示す。
【図１】
2006086072.tif 000003
【図２】
2006086072.tif 000004
【図３】
2006086072.tif 000005
【図４】
2006086072.tif 000006
【図５】
2006086072.tif 000007
【図６】
2006086072.tif 000008
【図７】
2006086072.tif 000009
【図８】
2006086072.tif 000010
【図９】
2006086072.tif 000011
【図１０】
2006086072.tif 000012
【図１１】
2006086072.tif 000013
【図１２】
2006086072.tif 000014
【図１３】
2006086072.tif 000015
【図１４】
2006086072.tif 000016
【図１５】
2006086072.tif 000017
【図１６】
2006086072.tif 000018
【図１７】
2006086072.tif 000019
【図１８】
2006086072.tif 000020
【図１９】
2006086072.tif 000021
【図２０】
2006086072.tif 000022